(57)【要約】      （修正有）【課題】未熟練者でも簡単に仕上がりの良い装飾を行うことができる造花形成用装飾具を提供する。【解決手段】複数の花弁５ａ〜５ｄを左右方向に並列配置した横長の花弁シート１における花弁の下端部に、花弁シート１の長さ方向に沿う紐挿通部２を設け、この紐挿通部２の両端開口に亘って結び紐３を挿通するとともに、紐挿通部２における長手方向の途中箇所に形成した紐導出孔６から、紐挿通部２に挿通した結び紐３の中間部を引き出して対象物巻きつけ用のループ部３ａを形成してある。【選択図】図１
0003179354.tif 000002
【実用新案登録請求の範囲】
【請求項１】
複数の花弁が長手方向に沿って形成された花弁シートの、前記花弁の下端部に、前記長手方向に沿う紐挿通部を設け、この紐挿通部の両端開口に亘って結び紐を挿通すると共に、紐挿通部における長手方向の途中箇所に形成した紐導出孔から、紐挿通部に挿通した結び紐の中間部を引き出して対象物巻きつけ用のループ部を形成してあることを特徴とする造花形成用装飾具。
【請求項２】
前記花弁シートは、花弁が形成されたシート素材を重ねて構成される請求項１に記載の造花形成用装飾具。
【請求項３】
前記シート素材を、該シート素材の長手方向に沿う折り線を介して二つ折りに重ねて前記花弁シートが構成される請求項２に記載の造花形成用装飾具。
【請求項４】
折り重ねた前記シート素材の折り線と平行にシート素材同士を結合して前記紐挿通部を形成してある請求項３に記載の造花形成用装飾具。
【請求項５】
二つ折りされた複数枚のシート素材を重ね、これらシート素材を前記下端部において結合して前記花弁シートが構成される請求項２ないし４のいずれかに記載の造花形成用装飾具。
【請求項６】
複数枚のシート素材のうちの一つを他のシート素材よりも前記下端部側に延出し、その延出部に前記紐挿通部を設けてある請求項５に記載の造花形成用装飾具。
【請求項７】
前記花弁シートの前記下端部側の端辺に沿って、別体の前記紐挿通部を結合してある請求項１ないし６のいずれかに記載の造花形成用装飾具。
【請求項８】
前記花弁シート及び前記紐挿通部を、前記長手方向の中間部で折り重ねると共に、折り重ねた前記花弁シートの一部または前記紐挿通部の両端開口を結合してある、
請求項１ないし７のいずれかに記載の造花形成用装飾具。
【考案の詳細な説明】
【技術分野】
【０００１】
本考案は、物品を収納した袋の開口部を絞って閉じる際の装飾や、各種の物品に取り付けて装飾するのに用いる造花形成用装飾具に関する。
【背景技術】
【０００２】
従来より、包装袋に収納して顧客に手渡す商品が贈答品である場合などにおいては、包装袋の開口部を装飾用リボンによって各種飾り結びで縛ることが一般的に行われている。
【０００３】
このような飾り結びを手早くかつ綺麗に仕上げるには熟練を要するものであり、未熟練者が手際よくかつ体裁よく仕上げることが難しい。
【０００４】
そこで、例えば、特許文献１に示されるように、蝶リボン部と帯状リボンを用いて包装物を簡単かつ綺麗に装飾する手段が提案されている。
【先行技術文献】
【特許文献】
【０００５】
【特許文献１】特開２０００−４５１５９号公報
【考案の概要】
【考案が解決しようとする課題】
【０００６】
しかし、上記包装用リボンは、単に装飾のためだけに使用されるものであって、例えば、包装袋の開口部を閉じて装飾したい場合には、別途手段で包装袋を閉じて上記包装用リボンを止着する必要があり、包装袋を閉じる結び紐等の閉じ具と包装用リボンを包装袋に止着するテープやピンなどを必要とするものであった。
【０００７】
本考案は、このような実情に着目してなされたものであって、未熟練者でも簡単に仕上がりの良い装飾を行うことができる造花形成用装飾具を提供することを目的とするものである。
【課題を解決するための手段】
【０００８】
上記目的を達成するために、本考案では次のように構成している。
【０００９】
（１）本考案に係る造花形成用装飾具は、複数の花弁が長手方向に沿って形成された花弁シートの、前記花弁の下端部に、前記長手方向に沿う紐挿通部を設け、この紐挿通部の両端開口に亘って結び紐を挿通すると共に、紐挿通部における長手方向の途中箇所に形成した紐導出孔から、紐挿通部に挿通した結び紐の中間部を引き出して対象物巻きつけ用のループ部を形成してあることを特徴とする。
【００１０】
この構成によると、例えば、物品が収納された包装袋の開口部に、紐挿通部の紐導出孔から引き出された結び紐のループ部を掛け回して結び紐を絞り込むことで、絞り込まれたループ部によって包装袋の開口部が閉じられるとともに、結び紐の絞り込みに伴って紐挿通部が環状に絞られて、花弁シートが立体的に変形される。これによって、花弁が内側から外側に向けて立体的に拡がった造花が形成される。また、結び紐のループ部を各種の対象物に巻き掛けた上で、結び紐を引き絞って結ぶことで、花弁シートを絞込み変形させて形成した造花で対象物を装飾することができる。
【００１１】
（２）本考案の一実施態様では、前記花弁シートは、花弁が形成されたシート素材を重ねて構成される。
【００１２】
この構成によると、多数の花弁が環状に配備された造花を簡単かつ綺麗に形成することができる。
【００１３】
（３）本考案の他の実施態様では、前記シート素材を、該シート素材の長手方向に沿う折り線を介して二つ折りに重ねて前記花弁シートが構成される。
【００１４】
この構成によると、単一のシート素材を二つ折りに重ねて花弁群を簡単に形成することができる。
【００１５】
（４）本考案の更に他の実施態様では、折り重ねた前記シート素材の折り線と平行にシート素材同士を結合して前記紐挿通部を形成してある。
【００１６】
この構成によると、折り線と平行に縫合する、などの結合処理を行うだけで、花弁シートの上記反対側の端部に紐挿通部を簡単に形成することができる。
【００１７】
（５）本考案の好ましい実施態様では、二つ折りされた複数枚のシート素材を重ね、これらシート素材を前記下端部において結合して前記花弁シートが構成される。
【００１８】
この構成によると、複数枚のシート素材を重ねて結合することによって花弁群を簡単に形成することができる。
【００１９】
（６）本考案の他の実施態様では、複数枚のシート素材のうちの一つを他のシート素材よりも前記下端部側に延出し、その延出部に前記紐挿通部を設けてある。
【００２０】
この構成によると、二つ折りされた複数枚のシート素材のうちの一つを他のシート素材よりも前記下端部側に延出して紐挿通部とすることができる。
【００２１】
（７）本考案の他の実施態様では、前記花弁シートの前記下端部側の端辺に沿って、別体の前記紐挿通部を結合してある。
【００２２】
この構成によると、紐挿通部を花弁と異なった色合いや材質で構成することで、花芯部と花弁部とが色違いの造花を形成することができ、一層実物の花に似せた造花にすることができる。
【００２３】
（８）本考案の他の実施態様では、前記花弁シート及び前記紐挿通部を、前記長手方向の中間部で折り重ねると共に、折り重ねた前記花弁シートの一部又は前記紐挿通部の両端開口を結合してある。
【００２４】
この構成によると、花の種類に応じて、一層現実感のある見栄えの良い造花を形成することができる。
【考案の効果】
【００２５】
このように、本考案によれば、結び紐のループ部を包装袋の開口部に掛け回し、結び紐を絞り込んで結ぶだけで、包装袋の開口部を縛って閉じると共に、花弁シートを立体的に絞り込んだ造花に形成することができ、未熟練者でも簡単に仕上がり良く包装と造花装飾を行うことができる。また、袋や瓶類などの対象物に縛り付ける単なる造花装飾としても有効に利用することができる。
【図面の簡単な説明】
【００２６】
【図１】第１例に係る造花形成用装飾具を表側からみた斜視図である。
【図２】第１例に係る造花形成用装飾具を裏側からみた斜視図である。
【図３】展開したシート素材斜視図である。
【図４】花弁シートを分解した斜視図である。
【図５】使用形態の一例を示す斜視図である。
【図６】使用形態の一例を示す斜視図である。
【図７】使用形態の他の例を示す斜視図である。
【図８】使用形態の別の例を示す斜視図である。
【図９】第２例に係る造花形成用装飾具を表側からみた斜視図である。
【図１０】第２例に係る造花形成用装飾具を裏側からみた斜視図である。
【図１１】展開したシート素材の斜視図である。
【図１２】花弁シートを分解した斜視図である。
【図１３】使用形態の一例を示す斜視図である。
【図１４】第３例に係る造花形成用装飾具を表側からみた斜視図である。
【図１５】第３例に係る造花形成用装飾具を裏側からみた斜視図である。
【図１６】展開したシート素材の斜視図である。
【図１７】花弁シートを分解した斜視図である。
【図１８】使用形態の一例を示す斜視図である。
【考案を実施するための形態】
【００２７】
以下、本考案の実施例のいくつかを図面に基づいて説明する。
【００２８】
〔第１例〕
図１〜図８に、本考案に係る造花形成用装飾具の第１例が示されている。この例の造花形成用装飾具Ａは、バラを模した造花を形成するものであって、複数枚の花弁を一連に並列した形状に形成した横長の花弁シート１と、これの花弁とは反対側（図１，図２では下端側）の端辺に沿って備えられた紐挿通部２に挿通される結び紐３とで構成されている。なお、以下の説明では、花弁とは反対側である下端側を花芯側という。
【００２９】
花弁シート１には、不織布、織り布、樹脂シート、紙材、等の柔軟なシート素材４が利用され、模する花に対応した色に染色（あるいは着色）された２枚のシート素材４（ａ），４（ｂ）が内外に重ね合わせて使用されている。
【００３０】
図３（ａ）に示すように、外側に配備される一方のシート素材４（ａ）は、ピッチを異ならせて２列の花弁５ａ，５ｂ群を上下両端辺に形成したものであり、このシート素材４（ａ）が上下中間の折り線ｘを介して二つ折りされて、花弁群５ａ，５ｂが内外に重ね合わせられるとともに、外側花弁５ａと内側花弁５ｂとが互い違いに重なるようになっている。また、図３（ｂ）に示すように、内側に配備される他方のシート素材４（ｂ）は、独立した複数の花弁５ｃ群と連続波形の波形花弁５ｄとを上下両端辺にそれぞれ形成したものであり、独立花弁群の内側に波形花弁群が重なるように、上下中間の折り線ｙを介して二つ折りして使用される。
【００３１】
そして、図４に示すように、外側のシート素材４（ａ）の花芯側が、内側のシート素材４（ｂ）よりも花芯側（下方）に延出されるように、シート素材４（ａ）の内側にシート素材４（ｂ）が重ねられるとともに、内側のシート素材４（ｂ）における花芯側の端辺が、外側のシート素材４（ａ）における花芯側の端辺より所定距離だけ花弁先端側（上方）において、端辺と平行な結合線ｚに沿って縫合結合され、これによって結合線ｚより下方のシート素材４（ａ）部分が、花弁シート１の左右両端に亘る長い紐挿通部２に形成される。
【００３２】
また、シート素材４（ａ）における左右方向中間の折り線ｘ近傍には紐導出孔６が予め形成されており、上記のように２枚のシート素材４（ａ），４（ｂ）が縫合結合された状態では、図２に示すように、形成された紐挿通部２の背面（外面）の長手方向中間箇所に紐導出孔６が露呈された状態となる。
【００３３】
結び紐３は、紐挿通部２の長さよりも十分に長いリボン状のものが利用され、紐挿通部２の一端開口から挿入されて他端開口より引き出される。そして、紐挿通部２の長手方向中間に形成された紐導出孔６から、結び紐３の中間部が引き出され、花弁シート１の背部に対象物巻きつけ用のループ部３ａが形成される。
【００３４】
図５，図６に、このように形成された造花形成用装飾具Ａの使用形態の一例が示されている。この場合、花弁シート１の裏面側に導出されているループ部３ａを、物品が収納された包装袋７の開口部７ａに掛け回し、結び紐３の両端を引っ張ってループ部３ａおよび花弁シート１を絞り込むことで包装袋７の開口部７ａをループ部３ａで絞り込んで閉じるとともに、蝶々結び等の適宜仕様で結び紐３を体裁よく結ぶ。この結び紐３の絞り込みによって花弁シート１の紐挿通部２が小さく環状に絞り込まれ、花芯側が絞られて花弁５ａ，５ｂ，５ｃ、５ｄ群が外方に向けて放射状に拡がったバラの造花が形成されることになる。
【００３５】
上記造花形成用装飾具Ａは、主として上記のように包装袋７の閉じ処理と造花装飾を行うものであるが、単なる造花装飾としての用途もある。例えば、図７に示すように、上記ループ部３ａを手提げ袋８の取っ手９に縛りつけ、上記と同様の要領で結び紐３を絞り込んで結ぶことで、手提げ袋７の造花装飾として使用することもできる。なお、ループ部３ａを取っ手８に縛りつける手段としては、ループ部３ａを紐導出孔５から大きく引き出して取っ手８に回し掛け、この回し掛けたループ部３ａに花弁シート１全体を挿通すると簡単に取っ手に縛りつけることができる。
【００３６】
単なる造花装飾に使用する他の例としては、例えば、図８に示すように、箱，花瓶、瓶、などの対象物１０にループ部３ａを巻き掛けて、結び紐３を絞り込んで結ぶことで、対象物１０をバラの造花で装飾することもできる。
【００３７】
〔第２例〕
図９〜図１３に、本考案に係る造花形成用装飾具Ａの第２例が示されている。この例の造花形成用装飾具Ａは、ガーベラを模した造花を形成するものであって、基本的には上記第１例と同様に、花弁シート１の花芯側に備えた紐挿通部２に結び紐３を挿通して構成されている。
【００３８】
この例では、図１１及び図１２に示すように、内外に重なる多数の花弁５ｆ，５ｇ群を備えた花弁シート１が、１枚のシート素材４（ｃ）を二つ折りして形成されるとともに、二つ折りした別のシート素材４（ｄ）で花弁シート１における花芯側を挟み込んで結合線ｚに沿って縫合結合することで紐挿通部２が形成される。
【００３９】
このように構成された造花形成用装飾具Ａの使用形態は上記第１例と同様であり、例えば、図１３に示すように、物品が収納された包装袋７の開口部７ａを結び紐３のループ部３ａで絞り込んで結ぶことで、花弁シート１が立体的に変形されてガーベラの造花が形成されることになる。また、上記第１例と同様に、各種の対象物にループ部３ａを介して縛りつける単なる造花装飾として使用することもできる。
【００４０】
〔第３例〕
図１４〜図１８に、本考案に係る造花形成用装飾具Ａの第３例が示されている。この例の造花形成用装飾具Ａは、ひまわりを模した造花を形成するものであって、基本的には上記第１例と同様に、花弁シート１の紐挿通部２に結び紐３を挿通して構成されている。
【００４１】
この例では、図１６及び図１７に示すように、内外に重なる花弁５ｈ，５ｉ群を備えた花弁シート１が１枚のシート素材４（ｅ）を二つ折りして形成されるとともに、二つ折りした別のシート素材４（ｆ）で花弁シート１における花芯側を挟み込んで縫合結合することで紐挿通部２が形成される。
【００４２】
このように構成された造花形成用装飾具Ａの使用形態も上記第１例および第２例と同様であり、例えば、図１８に示すように、物品が収納された包装袋６の開口部６ａを結び紐３のループ部３ａで絞り込んで結ぶことで、花弁シート１が立体的に変形されてひまわりの造花が形成されることになる。また、単なる造花装飾として利用できることはもちろんである。
【００４３】
〔他の実施例〕
本考案は、以下のような形態で実施することもできる。
【００４４】
（１）花弁を内外に重ねて配置する手段としては、上記のように、二つ折りしたシート素材４を１枚、あるいは、複数枚使用する他に、花弁群を並列形成した枚葉のシート素材４を、花弁積層枚数だけ重ね合わせて結合してもよい。
【００４５】
（２）結び紐３は、リボン状のものに限られることはなく、着色あるいは文様が印刷された紙製の丸紐や平紐、あるいは、針金入りの紐体を利用することも可能である。また、ご祝儀用として水引を結び紐３に使用することもできる。また、長時間にわたって取り付けられたままとなる造花装飾として利用する場合には、着色したアルミ線を結び紐として使用することもできる。
【００４６】
（３）上記実施例では１本の結び紐３を使用する場合を例示しているが、細い結び紐３を複数本使うようにしてもよい。
【００４７】
（４）紐挿通部２を形成したり、シート素材４同士を結合する手段としては、縫合の他に、接着剤を用いての貼付け結合を利用することもできる。また、シート素材４に樹脂材を用いる場合には、ヒートシール手段や、高周波圧着、などの各種の溶着シール手段を利用することも可能となる。
【００４８】
（５）前記花弁シート１を種々に変えることで、ボタン、朝顔、タンポポ、サクラ、ピンポンマム、マリーゴールド、コスモス、などを模した造花を形成することが可能である。
【００４９】
特に、ボタンや朝顔は、花弁シート１と紐挿通部２とを、長手方向の中間部で二つ折りにして重ね合せ、花弁シートの重ね合わせた一部または紐挿通部２の重ね合せた両端開口を、紐の挿通に支障のないようにして縫合させるなどして結合してもよい。
【００５０】
（６）花の種類によっては、花弁シート１の花芯側の外面に、葉を模したシート素材を添設することで、一層現実感のある見栄えの良い造花を形成することができる。
【符号の説明】
【００５１】
１              花弁シート
２              紐挿通部
３              結び紐
３ａ            ループ部
４              シート素材
６              紐導出孔
ｘ              折り線
【図１】
0003179354.tif 000003
【図２】
0003179354.tif 000004
【図３】
0003179354.tif 000005
【図４】
0003179354.tif 000006
【図５】
0003179354.tif 000007
【図６】
0003179354.tif 000008
【図７】
0003179354.tif 000009
【図８】
0003179354.tif 000010
【図９】
0003179354.tif 000011
【図１０】
0003179354.tif 000012
【図１１】
0003179354.tif 000013
【図１２】
0003179354.tif 000014
【図１３】
0003179354.tif 000015
【図１４】
0003179354.tif 000016
【図１５】
0003179354.tif 000017
【図１６】
0003179354.tif 000018
【図１７】
0003179354.tif 000019
【図１８】
0003179354.tif 000020